(57)【特許請求の範囲】
【請求項１】
前枠板に巣門と通気口とを備えた養蜂箱本体と、該養蜂箱本体との開閉を自在にした養蜂箱蓋と、前記養蜂箱本体の底板の前後に設けた基台と、両側の枠板底部に設けた前後の支軸ネジを軸心として上下作動が自在となる前後の支持脚とから成る養蜂箱において、前記養蜂箱本体は枠板を軽量な木製合板若しくは合成樹脂板を用いて小型化した小箱状に形成し、該小箱状の養蜂箱本体の正面に網張された小円形の通気口と細長状小孔の巣門とを設け、かつ通気口と巣門との間にストッパーにて係止させる作動ツマミ付の開閉蓋を取付けて通気口と巣門とを交互に開閉自在にし、前記前後の支持脚の一方が１枚の単板から構成され、かつ他方の支持脚が２枚の複板から構成されて脚立式に開閉自在となり、該支持脚を下方開閉により養蜂箱の使用時は地面上に立て、不使用時には箱体に収納セットすることを特徴とする養蜂箱。
【発明の詳細な説明】
【０００１】
【発明の属する技術分野】
本発明は蜜蜂の巣箱として使用されている養蜂箱に関するが、詳しくはコンパクトに小型化すると共に支持脚を取り付けて成る養蜂箱に関するものである。
【０００２】
【従来の技術】
従来から一般的に使用されている養蜂箱における巣門の開閉は可動式の扉を上下に移動して行っていた。すなわち、下側の巣門と上側の通気口との間を相互に開閉させる可動式扉を使用するものである。この従来方式では、扉の作動が円滑に可動させることが困難であるばかりか持ち運びや車両運搬中に扉が開き、中の蜂が外に飛び出してしまうなど、多くの欠点があった。とくに最近蜜蜂がハウス用の交配に用いられるようになったために養蜂箱の移動運搬が頻繁となり、その不便さが目立ち何らかの解決策が求められていた。
【０００３】
例えば、図６及び図７に図示されているように、従来方式は上下に摺動移動させる可動扉20が開いている。すなわち、巣門21の開閉は可動扉20を手でもって上下に移動させて巣門21を開門させた場合に、通気口23が開き逆に巣門21を閉門させた場合は網張り22より通風させるようにしてある。この方式では巣門21を開門させる場合は、可動扉20をいちいち持ち上げて落下しないように釘などの止め金具でもって止めなければならない不便がある。また長年使用することによっては、可動扉20の上下摺動がスムーズに行われず半開きなどの原因にもなったりしていた。更に、全体が木製の巣箱を前提にしているので、持ち搬びや取扱操作に多くの不便や不都合がある。
【０００４】
そこで、このような従来方式を改良するために本願出願人が開発したものが図８及び図９に開示されている。すなわち、本図に示されているのは実公平２−４２１２５号の養蜂箱における巣門開閉装置であって、箱体の下方部に三ヶ月形状の巣門を形成しかつ上方部に円形状の通気口を形成してなる巣箱と、前記通気口よりも大きく形成してなる円形状の開閉蓋とを設け、前記開閉蓋が半回転しかつ該回転により通気口と巣門とが交互に封止される巣箱の位置に弾設してなる構成からなり、前記開閉蓋を介して通気口部の封止により巣門部が開封し、一方巣門部の封止により通気口部が開封することを特徴とする養蜂箱における巣門開閉装置の提供にある。例えば、本図に示すように開閉蓋31は円形状に成形してあり、上方部には取手33が下方部には支持部32が具備してある。取手33はスプリング34を係止すると共に開閉蓋31を上下に回転させるために設けたものであり、支持部32は開閉蓋31を上下に回転させるための支点であり止め金44にて表板40に止めてある。取手33に係止したスプリング34は、他端を止め金35にて表板39の縦板38に固定してある。36と37は、開閉蓋31を保持せしめるためのストッパーである。41、42は通気口43の両側に張着した網張りであり、開閉蓋31が密封状態とあるように開閉蓋31よりも多少小さな円形状にしてある。45は巣門であり、開閉蓋31が密封できるように三ヶ月状に成形してある。
【０００５】
その後、更に改良を重ねて従来の欠点を解消するために開発したものが、図10及び図11に開示されている。すなわち、本図に示されているのは実開平６−２３４４６号の養蜂箱であって、養蜂箱に巣門と通気口とを備えた養蜂箱本体と、該養蜂箱本体との開閉を自在にした養蜂箱蓋とから成る養蜂箱において、前記養蜂箱本体の通気口に手動操作用の作動ツマミを具備した回転自在の開閉蓋を取付け、かつ作動ツマミを係止するストッパーを付設し、更に前記養蜂箱蓋の隅部に餌補給口を設けかつ該餌補給口に開閉自在のゴム蓋を付設して成ることを特徴とする養蜂箱の提供にある。例えば、58は養蜂箱蓋であり、一ケ所隅部に餌を補給するための餌補給口が穴設されている。この餌補給口59の内側は網張りＢされており、表面には円形状のゴム蓋60が付設されている。なお、61はゴム蓋止めであり、このゴム蓋止め11によってゴム蓋60は上下自在に操作することができるので、ワンタッチ餌補給口59から餌を注入することができる。
【０００６】
【発明が解決しようとする課題】
本発明は、このような従来方式の問題点をすべて解決しようとして開発されたものである。すなわち、本発明が解決しようとする課題は、養蜂箱を脚付きでかつコンパクト（小型化）にしようとするところにある。
【０００７】
【課題を解決するための手段】
本発明は上記の如き課題を解決するために開発したものであって、前枠板に巣門と通気口とを備えた養蜂箱本体と、該養蜂箱本体との開閉を自在にした養蜂箱蓋と、前記養蜂箱本体の底板の前後に設けた基台と、両側の枠板底部に設けた前後の支軸ネジを軸心として上下作動が自在となる前後の支持脚とから成る養蜂箱において、前記養蜂箱本体は枠板を軽量な木製合板若しくは合成樹脂板を用いて小型化した小箱状に形成し、該小箱状の養蜂箱本体の正面に網張された小円形の通気口と細長状小孔の巣門とを設け、かつ通気口と巣門との間にストッパーにて係止させる作動ツマミ付の開閉蓋を取付けて通気口と巣門とを交互に開閉自在にし、前記前後の支持脚の一方が１枚の単板から構成され、かつ他方の支持脚が２枚の複板から構成されて脚立式に開閉自在となり、該支持脚を下方開閉により養蜂箱の使用時は地面上に立て、不使用時には箱体に収納セットすることを特徴とする養蜂箱の提供にある。
【０００８】
【発明の実施の形態】
まず、本発明は前枠板に巣門と通気口とを備えた養蜂箱本体と、該養蜂箱本体との開閉を自在にした養蜂箱蓋と、前記養蜂箱本体の底板の前後に設けた基台と、両側の枠板底部に設けた前後の支軸ネジを軸心として上下作動が自在となる前後の支持脚とから成る養蜂箱において、前記養蜂箱本体は枠板を軽量な木製合板若しくは合成樹脂板を用いて小型化した小箱状に形成し、該小箱状の養蜂箱本体の正面に網張された小円形の通気口と細長状小孔の巣門とを設け、かつ通気口と巣門との間にストッパーにて係止させる作動ツマミ付の開閉蓋を取付けて通気口と巣門とを交互に開閉自在にし、前記前後の支持脚の一方が１枚の単板から構成され、かつ他方の支持脚が２枚の複板から構成されて脚立式に開閉自在となり、該支持脚を下方開閉により養蜂箱の使用時は地面上に立て、不使用時には箱体に収納セットすることを特徴とする養蜂箱であるから、持ち搬びなどの取扱い操作が簡便である。
【０００９】
【実施例】
以下、図面に従って本発明の実施例について説明する。
図１乃至図５は、本発明の養蜂箱を示したものであり、１が養蜂箱本体で２が通気口である。養蜂箱本体１は、軽量な木製の合板若しくは合成樹脂板を用いて箱状に加工されており、その正面（前方）には巣門７と通気口２が形成されている。巣門７は下段中央部に細長状に穴設されており、通気口２はその上方中央部に円形状に穴設されている。また、この通気口２には網張り10されている。３は通気口２の開閉蓋であり、木製合板若しくは合成樹脂材を円形状に形成し、その表面には開閉蓋３を手動操作するための作動ツマミ４が取付けてある。また、この開閉蓋３は後述するように巣門を開閉する機能も有している。５は開閉蓋３を通気口２に取付けたための支軸ネジであり、この支軸ネジ５を軸心にして開閉蓋３が回転自在となるように構成されている。６は開閉蓋３を一定の位置で係止させるためのストッパーであり、作動ツマミ４が係止されるように構成されている。なお、８は養蜂箱蓋、９は枠板、11は底板、12は基台である。
【００１０】
13及び14は、養蜂箱本体１の枠板９底部に取付けられている支持脚であり、支軸ネジ15、16を軸心にして上下作動が自在になるように構成されている。また、支持脚13は１枚の単板であるが、支持脚14は２枚の複板で構成されており、一方が脚立式に開閉できるようになっている。この支持脚13、14は下方開閉によって養蜂箱本体１の使用時は地面上に立てることができ、不使用時には箱体に収納セットさせることができる。
【００１１】
次に、図４と図５によって本発明の操作方法について説明する。まず、開閉蓋３の作動ツマミ４を手で持ち右方向に回転させると、作動ツマミ４がストッパー６で係止され通気口２は図４に示すように開閉蓋３によって完全に密封されることになる。その際、巣門７は開口状態となる。ついで、支軸ネジ５を軸心にして作動ツマミ４を左方向に回転させると、図４に示すように開閉蓋３は下方向に移動し一定の位置（本図では支軸ネジ５）と対向位置で停止される。その結果、通気口２は開口状態となるが、巣門７は密封状態となる。なお、開閉蓋３は木製素材若しくは合成樹脂材が用いられている。
【００１２】
【発明の効果】
本発明は、前枠板に巣門と通気口とを備えた養蜂箱本体と、該養蜂箱本体との開閉を自在にした養蜂箱蓋と、前記養蜂箱本体の底板の前後に設けた基台と、両側の枠板底部に設けた前後の支軸ネジを軸心として上下作動が自在となる前後の支持脚とから成る養蜂箱において、前記養蜂箱本体は枠板を軽量な木製合板若しくは合成樹脂板を用いて小型化した小箱状に形成し、該小箱状の養蜂箱本体の正面に網張された小円形の通気口と細長状小孔の巣門とを設け、かつ通気口と巣門との間にストッパーにて係止させる作動ツマミ付の開閉蓋を取付けて通気口と巣門とを交互に開閉自在にし、前記前後の支持脚の一方が１枚の単板から構成され、かつ他方の支持脚が２枚の複板から構成されて脚立式に開閉自在となり、該支持脚を下方開閉により養蜂箱の使用時は地面上に立て、不使用時には箱体に収納セットすることを特徴とする養蜂箱であるから、次のような多くの効果を有する。
ア、養蜂箱がコンパクトに小型化されているので、狭い場所でも多くを配設できるので、土地を有効活用することができる。
イ、養蜂箱の底部に脚立式の支持脚が付設されているので、湿度を有する地面に直接置くことがない。その結果、従来有していた養蜂箱の底部の腐敗を防ぐことができると共に、長持させることができるので経済性にも富んでいる。
ウ、前後の片方の支持脚が脚立方式になっているので、巣箱を安定にセットすることができると共に、搬送等には支持脚を巣箱に収納セットすることができる。その結果、取扱い操作が簡単となる。
エ、従来の大型式の巣箱のように、養蜂箱蓋に通気口を設ける必要がない。
【図面の簡単な説明】
【図１】  本発明の養蜂箱を示した斜視図。
【図２】  図１に示した本発明の一部拡大断面図。
【図３】  本発明の要部である支持脚を示した側面図。
【図４】  本発明の使用状態を示した平面図。
【図５】  本発明の使用状態を示した平面図。
【図６】  従来公知の養蜂箱を示した正面図。
【図７】  図６に示した従来養蜂箱の一部拡大断面図。
【図８】  従来公知の養蜂箱を示した正面図。
【図９】  図８に示した従来養蜂箱の一部断面図。
【図10】  従来公知の養蜂箱を示した斜視図。
【図11】  図10に示した従来養蜂箱の一部拡大説明図。
【符号の説明】
１    養蜂箱本体                ２    通気口
３    開閉蓋                    ４    作動ツマミ
５    支軸ネジ                  ６    ストッパー
７    巣門                      ８    養蜂箱蓋
９    枠板                      10    網張り
11    底板                      12    基台
13、14    支持脚                15、16    支軸ネジ
20    可動扉                    21    巣門
22    網張り                    23    通気口
31    開閉蓋                    33    取手
34    スプリング                35    可動扉
36    ストッパー                37    ストッパー
41    網張り                    42    網張り
43    通気口                    44    通気口
45    巣門                      51    養蜂箱本体
52    通気口                    53    開閉蓋
54    作動ツマミ                55    支軸ネジ
56    ストッパー                57    巣門
58    養蜂箱蓋                  59    餌補給口
60    ゴム蓋                    61    ゴム蓋止め
【図１】
0003918042.tif 000002
【図２】
0003918042.tif 000003
【図３】
0003918042.tif 000004
【図４】
0003918042.tif 000005
【図５】
0003918042.tif 000006
【図６】
0003918042.tif 000007
【図７】
0003918042.tif 000008
【図８】
0003918042.tif 000009
【図９】
0003918042.tif 000010
【図１０】
0003918042.tif 000011
【図１１】
0003918042.tif 000012